(57)【要約】【課題】製造コストをさげることができ、より短い時間で作成すること。【解決手段】底部材４と、底部材４内に設けられた複数の緩衝部材３ａ、３ｂ、３ｃよび３ｄと、緩衝部材３ａ〜３ｄを底部材４に固定するために設けられた固定部材１とを備え、固定部材４は、緩衝部材３ａ〜３ｄの位置決めを行うとともに平板状とすることにより、底部材４の上に緩衝部材３ａ〜３ｄを載置し、さらに平板状の固定部材１を載置することができるので、製造コストを下げることができ、緩衝部材３ａ〜３ｄの配置構成を容易にすることができる。【選択図】図１
2009280265.tif 000002
【特許請求の範囲】
【請求項１】
底部材と、前記底部材内に設けられた複数の緩衝部材と、前記緩衝部材を前記底部材に固定するために設けられた固定部材とを備え、前記固定部材は、前記緩衝部材の位置決めを行うとともに平板状である機器の包装部材。
【請求項２】
底部材は平面視して略四角形であり、緩衝部材は前記底部材の四方の隅および中央部に設けられ、固定部材は、中央部に設けられた前記緩衝部材が貫通する穴部を有するとともに四隅に凹部を有する平板状の部材であり、前記緩衝部材を前記底部材に配置した後に、前記固定部材を前記緩衝部材に配置する請求項１に記載の機器の包装部材。
【請求項３】
開口部内周と外周部に舌部を設けた平板により複数に分割された洗濯機本体を緩衝固定する緩衝装置と輸送用金具の保持装置を嵌め合わせることにより連結構成する洗濯槽及び洗濯機本体を緩衝固定する請求項１または２に記載の機器の包装部材。
【請求項４】
輸送用金具の保持装置に複数の分割用の切り溝を設けた請求項１乃至３に記載の機器の包装部材。
【発明の詳細な説明】
【技術分野】
【０００１】
本発明は、ドラム式洗濯乾燥機等の家庭電化機器の包装部材に関するものである。
【背景技術】
【０００２】
従来の機器の包装部材は、底部材１０１と、底部材１０１上に設けた洗濯支持具１０２と、洗濯支持具１０２を固定するベース１０３と、ベース上であって底部材１０１の四隅に緩衝材１０４ａ、１０４ｂ、１０４ｃ、１０４ｄとを有している（例えば、特許文献１）。
【特許文献１】特開２００４−２１７２２３号公報
【発明の開示】
【発明が解決しようとする課題】
【０００３】
しかしながら、前記従来の構成では、底部材上に洗濯支持具を置き、次に事前に組み立てたベースと置き、さらに緩衝材を置いていたので、作成に時間がかかり、ベースの組み立ても時間を要しており、さらにベースに使用する部材も多くなり、コストがかかるというという課題を有していた。
【０００４】
本発明は、前記従来の課題を解決するもので、緩衝部材の位置決めを行うとともに平板状である固定部材を有した機器の包装部材を提供することを目的とする。
【課題を解決するための手段】
【０００５】
前記従来の課題を解決するために、本発明の機器の包装部材は、緩衝部材を底部材に固定するために設けられた固定部材とを備え、固定部材は、緩衝部材の位置決めを行うとともに平板状であるので、製造コストをさげることができ、より短い時間、少ない工程で作成することができる。
【発明の効果】
【０００６】
本発明の機器の包装部材によれば、製造コストを下げることができ、緩衝材の部材の配置構成を容易にすることができる。
【発明を実施するための最良の形態】
【０００７】
以下本発明を実施するための最良の形態について、図面を参照しながら説明する。
【０００８】
（実施の形態１）
図１は本発明の実施の形態１における機器の包装部材の図で、図２は同包装部材の固定部材のブランクシート図で、図３は同包装部材の輸送金具の保持装置の斜視図で、図４は図３に示した輸送金具の保持装置の一例を示す横方向の概略断面図である。
【０００９】
図１〜図４において、本発明に係る固定部材１、輸送金具の保持装置２、洗濯機本体を緩衝固定する緩衝装置３、底部材４であり、底部材４内の４角にそれぞれ緩衝装置３ａ、３ｂ、３ｃ、３ｄが設けられており、緩衝装置３ａ、３ｂ、３ｃおよび３ｄはそれぞれ固定部材の外周部５、６、７、８と接当し、位置規制がされて固定される。
【００１０】
また、固定部材１、緩衝装置３ａと３ｂとの間および緩衝装置３ｃと３ｄとの間に対応する部分に突起部９および１０を有している。
【００１１】
固定部材１の舌片部を折り曲げ立ち上げることで設けた開口部１１に保持装置２を嵌め
込み、保持装置２の外周と舌片１２、１３、１４および１５にて固定される。底部材４に固定部材１を介して、保持装置２と緩衝装置３ａ〜３ｄの連結構成を形成することによりドラム式洗濯乾燥機本体の包装部材を構成したものである。
【００１２】
固定部材１は、ドラム式洗濯乾燥機の洗濯槽に備え付けられた輸送用金具の保持装置２を内接嵌め込み、洗濯機本体を緩衝固定する緩衝装置３ａ〜３ｄを外周に設けた舌片にて外接して所定の位置に連結保持する。固定部材１は段ボールやプラスチックシートなどにて形成し、輸送用金具の保持装置２の形状や洗濯機本体を緩衝固定する緩衝装置３ａ〜３ｄの形状、数などの変化に応じて自由に固定部材１内側の嵌めこみ部の形状や外周の舌片の形状、数を設けることにより、ドラム式洗濯乾燥機の本体緩衝装置を構成するものである。
【００１３】
固定部材１は、ブランクシートの状態で使用し、図１に示すよう洗濯機本体を緩衝する緩衝装置３ａ〜３ｄと輸送金具の保持装置２の位置関係を規制しながら包装部材を連結構成し、ドラム式洗濯乾燥機の下部を装着すると洗濯機本体、輸送金具の保持装置２の固定を経て、自由に動く洗濯槽が固定セットされる。図２に示すようにブランクシートの各部を折り曲げ、開口部を形成しながら装着する。
【００１４】
輸送用金具の保持装置２は、発泡プラスチックの成形品であり、輸送金具の形状に沿わせ保持部を凹状に形成し、凹状の全周に亘り輸送金具を嵌め込むものである。この保持装置２は輸送金具を嵌め込む部以外は洗濯機の構造上、洗濯機本体の包装部材において位置を確保するための構成部分であり、底中央部分は成形性の向上や使用する材料を少なくし、コストを削減するために凹状にくりぬかれ、周囲形状は薄い壁状態にて構成されている。周囲形状の薄い壁部分に複数の貫通溝を設けたものであり、洗濯機本体の包装部材の一部を構成するものである。
【００１５】
輸送金具の保持装置２は、周囲形状の薄い壁部分に複数の貫通溝を設けたものであり、この溝が誘導となって、手で細かく割るなどの行為が容易に行えて、廃棄処理の効率が向上する。また、かさばらないので、リサイクルのための輸送コストなどの削減ができ、環境保護に貢献するものである。
【００１６】
洗濯機本体を緩衝固定する緩衝装置３ａ〜３ｄとは、洗濯機下部の包装部材を構成するもので、洗濯機底部の構成形状に沿って形成された発泡プラスチック成形品であり、複数の部材にて洗濯機下部を保持固定緩衝するもので洗濯機本体を緩衝固定するものである。
【００１７】
洗濯機本体を緩衝固定する複数の緩衝装置３と輸送用金具の保持装置２を底部材４の所定の位置近辺に置いた状態にて固定部材１をセットし、固定部材１の外周を洗濯機本体を緩衝する複数の緩衝装置３ａ〜３ｄの内周に、固定部材１の開口部内周を輸送金具の保持装置の外周に接当させることにより相互の位置関係を規定し、洗濯機下部の包装部材を完成することができ、包装作業の効率化を図ることができる。
【００１８】
洗濯機本体を緩衝固定する緩衝装置３と輸送金具の保持装置２は固定部材１により底部材４に規制されるため、洗濯機本体の緩衝装置３と輸送金具の保持装置２の嵌合連結が不要となり小型化が図れ、コストの低減ができ、使用量の削減により廃棄処理を容易にすることができる。
【００１９】
また、各緩衝装置３ａ〜３ｄは小型化が図れるので、金型の取数向上、成形性の向上など生産性が向上が図れる。
【００２０】
図３は輸送金具の保持装置２の斜視図で、輸送金具の形状に合せ凹状１６を設け、ドラ
ム式洗濯乾燥機の洗濯槽に備え付けられた輸送金具を挿入して、洗濯槽を固定し、洗濯槽の動きによる洗濯機のボデーなどへの打痕を防止することができるのものである。保持装置２の周壁１８に貫通切溝１７を複数設けたものである。
【産業上の利用可能性】
【００２１】
本発明は、機器の包装部材の製造コストを下げることができ、緩衝材の部材の配置構成を容易にすることができるので、ドラム式洗濯機や食器洗い機の包装部材等として有用である。
【図面の簡単な説明】
【００２２】
【図１】本発明の実施の形態１における機器の包装部材の斜視図
【図２】同包装部材の固定部材のブランクシート図
【図３】同包装部材の輸送金具の保持装置の斜視図
【図４】図３に示した輸送金具の保持装置の一例を示す横方向の概略断面図
【図５】従来の機器の包装部材の斜視図
【符号の説明】
【００２３】
１  固定部材
２  保持装置
３  緩衝装置
４  底部材
【図１】
2009280265.tif 000003
【図２】
2009280265.tif 000004
【図３】
2009280265.tif 000005
【図４】
2009280265.tif 000006
【図５】
2009280265.tif 000007